(57)【要約】【課題】入力画像にグラフィック画像が重畳された合成画像に基づいて光源の発光を制御する場合において、グラフィック画像の視認性の低下を抑制しつつ、入力画像の見た目の変化を抑制することができる技術を提供する。【解決手段】本発明の表示装置は、発光手段と、表示手段と、入力画像にグラフィック画像が重畳された合成画像を生成する合成手段と、合成画像の特徴量を第１特徴量として取得する取得手段と、グラフィック画像の特徴量が第２特徴量として予め記録された記憶手段と、第１特徴量と第２特徴量に基づいて、第１特徴量に対する第２特徴量の影響度合を判断する判断手段と、影響度合が第１の閾値より大きい場合に、影響度合が第１の閾値以下となるように、グラフィック画像を第２の閾値以下の調整量で調整する調整手段と、第１特徴量に基づいて発光手段の発光を制御する制御手段と、を有する。【選択図】図１
2015176055.tif 000002
【特許請求の範囲】
【請求項１】
発光手段と、
前記発光手段からの光を変調することで画面上に画像を表示する表示手段と、
入力画像と所定のグラフィック画像を合成することで、前記入力画像に前記所定のグラフィック画像が重畳された合成画像を生成する合成手段と、
前記合成画像から、前記合成画像の特徴量を第１特徴量として取得する取得手段と、
前記所定のグラフィック画像の特徴量が第２特徴量として予め記録された記憶手段と、
前記第１特徴量と前記第２特徴量に基づいて、前記第１特徴量に対する前記第２特徴量の影響度合を判断する判断手段と、
前記影響度合が第１の閾値より大きい場合に、前記影響度合が前記第１の閾値以下となるように、前記所定のグラフィック画像を第２の閾値以下の調整量で調整する調整手段と、
前記第１特徴量に基づいて前記発光手段の発光を制御する制御手段であって、前記影響度合が第１の閾値より大きい場合に、前記調整手段による調整後のグラフィック画像が重畳された合成画像の特徴量に基づいて前記発光手段の発光を制御する制御手段と、
を有することを特徴とする表示装置。
【請求項２】
前記判断手段は、
前記第１特徴量と前記第２特徴量に基づいて、前記入力画像の特徴量を推定し、
前記入力画像の特徴量と前記第１特徴量との差に応じた値を、前記影響度合として判断する
ことを特徴とする請求項１に記載の表示装置。
【請求項３】
前記判断手段は、前記入力画像の特徴量と前記第１特徴量との差を、前記影響度合として算出する
ことを特徴とする請求項２に記載の表示装置。
【請求項４】
前記調整手段は、前記所定のグラフィック画像の明るさ、色、サイズ、及び、透明度の少なくともいずれかを調整する
ことを特徴とする請求項１〜３のいずれか１項に記載の表示装置。
【請求項５】
前記発光手段は、個別に発光を制御可能な複数の光源を有し、
前記取得手段は、前記複数の光源に対応する前記画面上の複数の取得領域のそれぞれについて、その取得領域における合成画像の特徴量を第１特徴量として取得し、
前記判断手段は、前記取得領域毎に前記影響度合を判断し、
前記調整手段は、前記影響度合が前記第１の閾値より大きい取得領域の前記影響度合が前記第１の閾値以下となるように前記所定のグラフィック画像を調整する
ことを特徴とする請求項１〜４のいずれか１項に記載の表示装置。
【請求項６】
前記調整手段は、前記影響度合が前記第１の閾値より大きい取得領域の前記影響度合が前記第１の閾値以下となり、且つ、前記取得領域における前記所定のグラフィック画像と隣接する取得領域における前記所定のグラフィック画像との連続度合が第３の閾値以上となるように、各取得領域における前記所定のグラフィック画像を個別に調整する
ことを特徴とする請求項５に記載の表示装置。
【請求項７】
前記調整手段は、前記影響度合が前記第１の閾値より大きい取得領域の前記影響度合が前記第１の閾値以下となり、且つ、前記取得領域における前記所定のグラフィック画像と隣接する取得領域における前記所定のグラフィック画像との明るさ、色、サイズ、及び、透明度の少なくともいずれかの差が前記第４の閾値以下となるように、各取得領域におけ
る前記所定のグラフィック画像を個別に調整する
ことを特徴とする請求項５または６に記載の表示装置。
【請求項８】
発光手段と、
前記発光手段からの光を変調することで画面上に画像を表示する表示手段と、
所定のグラフィック画像が重畳された合成画像を外部装置から取得する画像取得手段と、
前記合成画像から、前記合成画像の特徴量を第１特徴量として取得する第１取得手段と、
前記所定のグラフィック画像の特徴量を第２特徴量として前記外部装置から取得する第２取得手段と、
前記第１特徴量と前記第２特徴量に基づいて、前記第１特徴量に対する前記第２特徴量の影響度合を判断する判断手段と、
前記影響度合が第１の閾値より大きい場合に、前記影響度合が前記第１の閾値以下となるように、前記所定のグラフィック画像を第２の閾値以下の調整量で調整する調整指示を、前記外部装置に出力する出力手段と、
前記第１特徴量に基づいて前記発光手段の発光を制御する制御手段であって、前記影響度合が第１の閾値より大きい場合に、前記調整指示に応じて前記外部装置が行った調整後のグラフィック画像が重畳された合成画像の特徴量に基づいて前記発光手段の発光を制御する制御手段と、
を有することを特徴とする表示装置。
【請求項９】
発光手段と、
前記発光手段からの光を変調することで画面上に画像を表示する表示手段と、
所定のグラフィック画像の特徴量が第２特徴量として予め記録された記憶手段と、
を有する表示装置の制御方法であって、
入力画像と前記所定のグラフィック画像を合成することで、前記入力画像に前記所定のグラフィック画像が重畳された合成画像を生成する合成ステップと、
前記合成画像から、前記合成画像の特徴量を第１特徴量として取得する取得ステップと、
前記第１特徴量と前記第２特徴量に基づいて、前記第１特徴量に対する前記第２特徴量の影響度合を判断する判断ステップと、
前記影響度合が第１の閾値より大きい場合に、前記影響度合が前記第１の閾値以下となるように、前記所定のグラフィック画像を第２の閾値以下の調整量で調整する調整ステップと、
前記第１特徴量に基づいて前記発光手段の発光を制御する制御ステップであって、前記影響度合が第１の閾値より大きい場合に、前記調整ステップによる調整後のグラフィック画像が重畳された合成画像の特徴量に基づいて前記発光手段の発光を制御する制御ステップと、
を有することを特徴とする表示装置の制御方法。
【請求項１０】
前記判断ステップでは、
前記第１特徴量と前記第２特徴量に基づいて、前記入力画像の特徴量を推定し、
前記入力画像の特徴量と前記第１特徴量との差に応じた値を、前記影響度合として判断する
ことを特徴とする請求項９に記載の表示装置の制御方法。
【請求項１１】
前記判断ステップでは、前記入力画像の特徴量と前記第１特徴量との差を、前記影響度合として算出する
ことを特徴とする請求項１０に記載の表示装置の制御方法。
【請求項１２】
前記調整ステップでは、前記所定のグラフィック画像の明るさ、色、サイズ、及び、透明度の少なくともいずれかを調整する
ことを特徴とする請求項９〜１１のいずれか１項に記載の表示装置の制御方法。
【請求項１３】
前記発光手段は、個別に発光を制御可能な複数の光源を有し、
前記取得ステップでは、前記複数の光源に対応する前記画面上の複数の取得領域のそれぞれについて、その取得領域における合成画像の特徴量を第１特徴量として取得し、
前記判断ステップでは、前記取得領域毎に前記影響度合を判断し、
前記調整ステップでは、前記影響度合が前記第１の閾値より大きい取得領域の前記影響度合が前記第１の閾値以下となるように前記所定のグラフィック画像を調整する
ことを特徴とする請求項９〜１２のいずれか１項に記載の表示装置の制御方法。
【請求項１４】
前記調整ステップでは、前記影響度合が前記第１の閾値より大きい取得領域の前記影響度合が前記第１の閾値以下となり、且つ、前記取得領域における前記所定のグラフィック画像と隣接する取得領域における前記所定のグラフィック画像との連続度合が第３の閾値以上となるように、各取得領域における前記所定のグラフィック画像を個別に調整する
ことを特徴とする請求項１３に記載の表示装置の制御方法。
【請求項１５】
前記調整ステップでは、前記影響度合が前記第１の閾値より大きい取得領域の前記影響度合が前記第１の閾値以下となり、且つ、前記取得領域における前記所定のグラフィック画像と隣接する取得領域における前記所定のグラフィック画像との明るさ、色、サイズ、及び、透明度の少なくともいずれかの差が前記第４の閾値以下となるように、各取得領域における前記所定のグラフィック画像を個別に調整する
ことを特徴とする請求項１３または１４に記載の表示装置の制御方法。
【請求項１６】
発光手段と、
前記発光手段からの光を変調することで画面上に画像を表示する表示手段と、
を有する表示装置の制御方法であって、
所定のグラフィック画像が重畳された合成画像を外部装置から取得する画像取得ステップと、
前記合成画像から、前記合成画像の特徴量を第１特徴量として取得する第１取得ステップと、
前記所定のグラフィック画像の特徴量を第２特徴量として前記外部装置から取得する第２取得ステップと、
前記第１特徴量と前記第２特徴量に基づいて、前記第１特徴量に対する前記第２特徴量の影響度合を判断する判断ステップと、
前記影響度合が第１の閾値より大きい場合に、前記影響度合が前記第１の閾値以下となるように、前記所定のグラフィック画像を第２の閾値以下の調整量で調整する調整指示を、前記外部装置に出力する出力ステップと、
前記第１特徴量に基づいて前記発光手段の発光を制御する制御ステップであって、前記影響度合が第１の閾値より大きい場合に、前記調整指示に応じて前記外部装置が行った調整後のグラフィック画像が重畳された合成画像の特徴量に基づいて前記発光手段の発光を制御する制御ステップと、
を有することを特徴とする表示装置の制御方法。
【請求項１７】
請求項９〜１６のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
近年、液晶表示装置に関する技術として、画像（画像データ）の明るさに応じてバックライトの発光輝度を制御する技術が提案されている。このような技術を用いれば、表示画像（画面に表示された画像）のコントラストを向上したり、表示装置の消費電力を低減したりできる。また、バックライトの光源として個別に発光輝度を制御可能な複数の光源を用い、光源毎に、その光源に対応する画面上の領域における画像の明るさに応じて、当該光源の発光輝度を制御する技術も提案されている。このような制御は、ローカルディミング制御と呼ばれる。ローカルディミング制御を行うことにより、表示画像のコントラストをより向上することができる。
【０００３】
画像の明るさに応じてバックライトの発光輝度を制御するためには、画像の明るさを常に検出し続ける必要がある。しかしながら、そのような検出処理の処理量は大きく、ローカルディミング制御のための検出処理（画面の領域毎に明るさを検出する処理）の処理量は特に大きい。そのため、それらの検出処理は、ソフトウェアではなくハードウェアで行われるのが一般的である。
【０００４】
また、表示装置では、入力画像にグラフィック画像を重畳した合成画像が表示されることがある。合成画像を表示する際に入力画像に基づいてバックライトの発光輝度を制御すると、グラフィック画像の視認性が低下してしまうことがある。例えば、グラフィック画像が、極端に暗く表示されたり、極端に明るく表示されたりすることがある。
【０００５】
グラフィック画像の視認性を高めるための従来技術は、例えば、特許文献１，２に開示されている。
特許文献１に開示の技術では、グラフィック画像の表示領域（画面の領域のうちグラフィック画像が表示される領域）に対応する光源がグラフィック画像に適した所定の発光輝度で発光させられる。そして、それ以外の光源がユーザ操作に応じて設定された発光輝度で発光させられる。
また、特許文献２に開示の技術では、入力画像に基づいてバックライトの発光輝度が制御され、バックライトの発光輝度の変化による表示輝度（画面上の輝度）の変化が低減するようにグラフィック画像の画素値が調整される。
【先行技術文献】
【特許文献】
【０００６】
【特許文献１】特開２０１１−１８６２３７号公報
【特許文献２】特開２００８−１１６５５５号公報
【発明の概要】
【発明が解決しようとする課題】
【０００７】
しかしながら、特許文献１に開示の技術を用いたローカルディミング制御を行う場合、光源に対応する領域における合成画像にグラフィック画像と入力画像の両方が含まれることがあるため、入力画像の表示画質（表示画像の画質）が低下してしまうことがある。具体的には、グラフィック画像と入力画像の両方が表示される領域（混合領域）に対応する光源の発光輝度が、グラフィック画像に適した発光輝度に制御される。その結果、混合領域における入力画像が、グラフィック画像を表示していないときと大きく異なる明るさで
表示されてしまう。例えば、グラフィック画像を明るく表示する発光輝度がグラフィック画像に適した発光輝度として予め定められている場合、混合領域における入力画像が、グラフィック画像を表示していないときよりも明るく表示されてしまう。上述した入力画像の見た目の変化は、入力画像の色合いや色の濃さ等の画質を調整する調整作業の妨げとなる。
【０００８】
また、使用するハードウェアによっては、バックライトの発光輝度を制御するための画像として、合成画像が使用されることがある。そのようなハードウェアを使用した場合には、特許文献２に開示の技術を使用することはできないが、合成画像に基づいてバックライトの発光輝度が制御されるため、グラフィック画像の視認性の低下を抑制することができる。しかしながら、合成画像に基づいてバックライトの発光輝度を制御してしまうと、発光輝度がグラフィック画像の影響を受けるため、入力画像が、グラフィック画像を表示していないときと大きく異なる明るさで表示されてしまう。そして、グラフィック画像の視認性の向上だけ考慮してグラフィック画像を調整すると、合成画像の変化によりバックライトの発光輝度が変化するため、上述した入力画像の見た目の変化が増してしまうことがある。
【０００９】
本発明は、入力画像にグラフィック画像が重畳された合成画像に基づいて光源の発光を制御する場合において、グラフィック画像の視認性の低下を抑制しつつ、入力画像の見た目の変化を抑制することができる技術を提供することを目的とする。
【課題を解決するための手段】
【００１０】
本発明の第１の態様は、
発光手段と、
前記発光手段からの光を変調することで画面上に画像を表示する表示手段と、
入力画像と所定のグラフィック画像を合成することで、前記入力画像に前記所定のグラフィック画像が重畳された合成画像を生成する合成手段と、
前記合成画像から、前記合成画像の特徴量を第１特徴量として取得する取得手段と、
前記所定のグラフィック画像の特徴量が第２特徴量として予め記録された記憶手段と、
前記第１特徴量と前記第２特徴量に基づいて、前記第１特徴量に対する前記第２特徴量の影響度合を判断する判断手段と、
前記影響度合が第１の閾値より大きい場合に、前記影響度合が前記第１の閾値以下となるように、前記所定のグラフィック画像を第２の閾値以下の調整量で調整する調整手段と、
前記第１特徴量に基づいて前記発光手段の発光を制御する制御手段であって、前記影響度合が第１の閾値より大きい場合に、前記調整手段による調整後のグラフィック画像が重畳された合成画像の特徴量に基づいて前記発光手段の発光を制御する制御手段と、
を有することを特徴とする表示装置である。
【００１１】
本発明の第２の態様は、
発光手段と、
前記発光手段からの光を変調することで画面上に画像を表示する表示手段と、
所定のグラフィック画像が重畳された合成画像を外部装置から取得する画像取得手段と、
前記合成画像から、前記合成画像の特徴量を第１特徴量として取得する第１取得手段と、
前記所定のグラフィック画像の特徴量を第２特徴量として前記外部装置から取得する第２取得手段と、
前記第１特徴量と前記第２特徴量に基づいて、前記第１特徴量に対する前記第２特徴量の影響度合を判断する判断手段と、
前記影響度合が第１の閾値より大きい場合に、前記影響度合が前記第１の閾値以下となるように、前記所定のグラフィック画像を第２の閾値以下の調整量で調整する調整指示を、前記外部装置に出力する出力手段と、
前記第１特徴量に基づいて前記発光手段の発光を制御する制御手段であって、前記影響度合が第１の閾値より大きい場合に、前記調整指示に応じて前記外部装置が行った調整後のグラフィック画像が重畳された合成画像の特徴量に基づいて前記発光手段の発光を制御する制御手段と、
を有することを特徴とする表示装置である。
【００１２】
本発明の第３の態様は、
発光手段と、
前記発光手段からの光を変調することで画面上に画像を表示する表示手段と、
所定のグラフィック画像の特徴量が第２特徴量として予め記録された記憶手段と、
を有する表示装置の制御方法であって、
入力画像と前記所定のグラフィック画像を合成することで、前記入力画像に前記所定のグラフィック画像が重畳された合成画像を生成する合成ステップと、
前記合成画像から、前記合成画像の特徴量を第１特徴量として取得する取得ステップと、
前記第１特徴量と前記第２特徴量に基づいて、前記第１特徴量に対する前記第２特徴量の影響度合を判断する判断ステップと、
前記影響度合が第１の閾値より大きい場合に、前記影響度合が前記第１の閾値以下となるように、前記所定のグラフィック画像を第２の閾値以下の調整量で調整する調整ステップと、
前記第１特徴量に基づいて前記発光手段の発光を制御する制御ステップであって、前記影響度合が第１の閾値より大きい場合に、前記調整ステップによる調整後のグラフィック画像が重畳された合成画像の特徴量に基づいて前記発光手段の発光を制御する制御ステップと、
を有することを特徴とする表示装置の制御方法である。
【００１３】
本発明の第４の態様は、
発光手段と、
前記発光手段からの光を変調することで画面上に画像を表示する表示手段と、
を有する表示装置の制御方法であって、
所定のグラフィック画像が重畳された合成画像を外部装置から取得する画像取得ステップと、
前記合成画像から、前記合成画像の特徴量を第１特徴量として取得する第１取得ステップと、
前記所定のグラフィック画像の特徴量を第２特徴量として前記外部装置から取得する第２取得ステップと、
前記第１特徴量と前記第２特徴量に基づいて、前記第１特徴量に対する前記第２特徴量の影響度合を判断する判断ステップと、
前記影響度合が第１の閾値より大きい場合に、前記影響度合が前記第１の閾値以下となるように、前記所定のグラフィック画像を第２の閾値以下の調整量で調整する調整指示を、前記外部装置に出力する出力ステップと、
前記第１特徴量に基づいて前記発光手段の発光を制御する制御ステップであって、前記影響度合が第１の閾値より大きい場合に、前記調整指示に応じて前記外部装置が行った調整後のグラフィック画像が重畳された合成画像の特徴量に基づいて前記発光手段の発光を制御する制御ステップと、
を有することを特徴とする表示装置の制御方法である。
【００１４】
本発明の第５の態様は、上述した表示装置の制御方法の各ステップをコンピュータに実行させることを特徴とするプログラムである。
【発明の効果】
【００１５】
本発明によれば、入力画像にグラフィック画像が重畳された合成画像に基づいて光源の発光を制御する場合において、グラフィック画像の視認性の低下を抑制しつつ、入力画像の見た目の変化を抑制することができる。
【図面の簡単な説明】
【００１６】
【図１】実施例１に係る表示装置の概略構成を示すブロック図
【図２】実施例１に係る取得領域とグラフィック画像の一例を示す図
【図３】実施例１に係る表示装置の処理の流れの一例を示すフローチャート
【図４】実施例１に係る調整処理後のグラフィック画像の一例を示す図
【図５】実施例２に係る取得領域とグラフィック画像の一例を示す図
【図６】実施例１に係る調整処理後のグラフィック画像の一例を示す図
【図７】実施例２に係る調整処理の流れの一例を示すフローチャート
【図８】実施例２に係る調整処理後のグラフィック画像の一例を示す図
【図９】実施例３に係る表示装置の概略構成を示すブロック図
【発明を実施するための形態】
【００１７】
以下、本実施例に係る表示装置、表示装置の制御方法、及び、プログラムについて説明する。
なお、以下では、本実施例に係る表示装置が、透過型の液晶表示装置である場合の例を説明するが、本実施例に係る表示装置はこれに限らない。本実施例に係る表示装置は、光源装置からの光を変調することで画面に画像を表示する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１８】
＜実施例１＞
図１は、本発明の実施例１に係る表示装置１０１の概略構成を示すブロック図である。
図１に示すように、表示装置１０１は、制御部１０２、グラフィック選択部１０３、画像入力部１０４、合成部１０５、画像解析部１０６、表示部１０７、バックライト部１０８、等を有する。
【００１９】
制御部１０２は、ユーザ操作に応じて表示装置１０１の各機能部を制御する。具体的には、ユーザ操作が行われると、ユーザ操作に応じたユーザ操作信号が制御部１０２に入力される。ユーザ操作は、ユーザによる表示装置の操作であり、例えば、表示装置のボタンの押下などである。制御部１０２は、入力されたユーザ操作信号に応じて、表示装置１０１の各機能部を制御する。例えば、画質調整メニュー（入力画像や画面の明るさなどを調整するために使用されるグラフィック画像）を表示するためのユーザ操作が行われた場合、制御部１０２は、グラフィック選択部１０３へ画質調整メニューを選択する指示を行う。
制御部１０２は、上記処理の他にも様々な処理を行う（詳細は後述する）。
【００２０】
グラフィック選択部１０３には、複数のグラフィック画像が予め記録されている。そして、グラフィック選択部１０３は、制御部１０２からの指示に応じて、複数のグラフィック画像のいずれか１つ以上を選択し、選択したグラフィック画像を合成部１０５へ出力する。
なお、複数のグラフィック画像は、グラフィック選択部１０３以外の機能部に予め記録されていてもよい。表示装置１０１が、複数のグラフィック画像が予め記録された記憶部を有していてもよい。そして、グラフィック選択部１０３は、制御部１０２からの指示に応じて記憶部からグラフィック画像を取得してもよい。
【００２１】
画像入力部１０４は、外部装置から入力画像を取得する。本実施例では、画像入力部１０４が、ＤＶＩ（Ｄｉｇｉｔａｌ  Ｖｉｄｅｏ  Ｉｎｔｅｒｆａｃｅ）などのケーブルを用いて外部装置に接続されており、ケーブルを介して外部装置から入力画像を取得する。画像入力部１０４は、取得した入力画像を合成部１０５へ出力する。
なお、表示装置は、無線で外部装置に接続されていてもよい。そして、無線通信によって入力画像が取得されてもよい。
なお、表示装置１０１は、画像（画像データ）を記憶する記憶部を有していてもよい。そして、表示装置１０１の記憶部から入力画像が取得されてもよい。
【００２２】
合成部１０５は、グラフィック選択部１０３から出力されたグラッフィク画像と、画像入力部１０４から出力された入力画像と、を合成することにより、入力画像にグラフィック画像が重畳された合成画像を生成する。そして、合成部１０５は、生成した合成画像を画像解析部１０６へ出力する。
【００２３】
画像解析部１０６は、合成部１０５から出力された合成画像を解析し、合成画像の特徴量を第１特徴量として取得する。本実施例では、画像解析部１０６は、取得領域毎に、その取得領域における合成画像の特徴量を第１特徴量として取得する。取得領域は、画面上の領域であり、バックライト部１０８が有する光源に対応する領域である。本実施例では、バックライト部１０８が個別に発光を制御可能な複数の光源を有しており、複数の光源に対応する複数の取得領域が予め定められている。本実施例では、特徴量として平均輝度値が取得される。画像解析部１０６は、各取得領域の第１特徴量を制御部１０２へ出力し、合成画像を表示部１０７へ出力する。
なお、特徴量は平均輝度値に限らない。例えば、特徴量は、輝度値の代表値であってもよいし、画素値の代表値であってもよいし、輝度値のヒストグラムであってもよいし、画素値のヒストグラムであってもよい。代表値は、平均値、最頻値、中間値、などである。
【００２４】
表示部１０７は、バックライト部１０８からの光を透過することで画面上に画像を表示する表示パネルである。本実施例では、表示部１０７は、複数の液晶素子を有する液晶パネルである。表示部１０７は、各液晶素子の透過率を合成画像に応じて制御する。それにより、画面上に合成画像が表示される。
【００２５】
バックライト部１０８は、表示部１０７の背面に光を照射する発光部である。本実施例では、制御部１０２が、画像解析部１０６から出力された第１特徴量に基づいてバックライト部１０８の発光を制御する。具体的には、制御部１０２は、光源毎に、その光源に対応する取得領域の第１特徴量に基づいて、当該光源の発光を制御する。より具体的には、制御部１０２は、第１特徴量に基づいて発光輝度を決定し、決定した発光輝度をバックライト部１０８に通知する処理を、光源毎に行う。そして、バックライト部１０８は、各光源を通知された発光輝度で発光させる。光源は、１つ以上の発光素子を有する。発光素子としては、ＬＥＤ素子、有機ＥＬ素子、冷陰極管素子、等を用いることができる。
合成画像に基づいてバックライトの発光輝度を制御することにより、グラフィック画像を高い視認性で表示することができる。
なお、第１特徴量に基づいて光源の発光色が制御されてもよい。第１特徴量に基づいて光源の発光輝度と発光色の両方が制御されてもよい。
【００２６】
図２は、本実施例に係る取得領域とグラフィック画像の一例を示す図である。
本実施例では、複数の光源がマトリクス状に配置されており、マトリクス状に配置された複数の取得領域が予め設定されているものとする。具体的には、バックライト部１０８は、３行４列の合計１２個の光源を有する。そして、図２に示すように、画面の領域を構成する３行４列の合計１２個の取得領域２０１が予め設定されている。光源は、例えば、取得領域の中心付近に設けられている。
符号２０２は、グラフィック画像を示す。グラフィック画像２０２は、入力画像や画面の明るさを調整するために使用されるＧＵＩ画像である。
【００２７】
なお、本実施例では、複数の取得領域により画面の領域が構成されるものとしたが、取得領域はこれに限らない。取得領域として、他の光源に対応する取得領域に重なる領域が設定されていてもよいし、他の光源に対応する取得領域に接しない領域が設定されていてもよい。取得領域として、他の光源に対応する取得領域と同じ領域が設定されていてもよい。
なお、本実施例では、複数の光源がマトリクス状に配置されているものとしたが、これに限らない。例えば、複数の光源は、行方向や列方向などの一方向にのみ並べて配置されていてもよい。そして、光源の数は、１２個より多くても少なくてもよい。光源の数は１つであってもよい。
なお、グラフィック画像は上記ＧＵＩ画像に限らない。例えば、グラフィック画像は、マウスカーソル、アイコン、イラスト、等であってもよい。また、グラフィック画像は、ユーザ操作に応じて表示される画像でなくてもよい。
【００２８】
図３は、本実施例に係る表示装置の処理（グラフィック画像の視認性の低下を抑制しつつ、グラフィック画像を表示したことによる入力画像の見た目の変化を抑制する処理）の流れの一例を示すフローチャートである。図３のフローチャートは、例えば、画像データのフレーム毎に実行される。本実施例では、画像解析部１０６が、入力画像（具体的には、入力画像に付加されている信号）を解析し、入力画像の垂直同期信号のタイミングで制御部１０２に処理の開始を指示することにより、図３のフローチャートが開始される。
【００２９】
まず、制御部１０２が、グラフィック画像が表示されるか否かを判断する（Ｓ３０１）。グラフィック画像が表示される場合にはＳ３０２へ処理が進められ、グラフィック画像が表示されない場合にはＳ３０５へ処理が進められる。グラフィック画像が表示されるか否かは、例えば、ユーザ操作に基づいて判断される。
【００３０】
次に、制御部１０２が、第１特徴量とグラフィック画像の特徴量（第２特徴量）とに基づいて、第１特徴量に対する第２特徴量の影響度合を判断する（Ｓ３０２）。本実施例では、取得領域毎に影響度合が判断される。本実施例では、グラフィック選択部１０３に予め記録されている複数のグラフィック画像に対応する複数の特徴量（グラフィック画像の特徴量）のそれぞれが、第２特徴量として制御部１０２に予め記録されている。制御部１０２は、表示されるグラフィック画像の特徴量である第２特徴量を使用して、影響度合を判断する。本実施例では、グラフィック画像全体の特徴量が第２特徴量として予め用意されている。
なお、複数の第２特徴量は、制御部１０２以外の機能部に予め記録されていてもよい。表示装置１０１が、複数の第２特徴量が予め記録された記憶部を有していてもよい。そして、制御部１０２は、影響度合を判断するために使用する第２特徴量を記憶部から取得してもよい。
なお、取得領域毎に、その取得領域におけるグラフィック画像の特徴量が、第２特徴量として予め用意されていてもよい。
【００３１】
影響度合の取得方法の具体例を説明する。
なお、以下では１つの取得領域について説明し、他の取得領域については同様のため説
明を省略する。
【００３２】
まず、制御部１０２は、第１特徴量と第２特徴量に基づいて、入力画像の特徴量を推定する。具体的には、取得領域における合成画像に含まれる入力画像の特徴量が推定される。
取得領域のサイズをＳ、取得領域の第１特徴量（平均輝度値）をＹ、取得領域におけるグラフィック画像のサイズをＳｇ、第２特徴量（平均輝度値）をＹｇ、取得領域における入力画像の特徴量（平均輝度値）をＹｖとすると、以下の式１が成り立つ。そして、式１を変形することで、以下の式２が得られる。
Ｓ×Ｙ＝Ｓｇ×Ｙｇ＋（Ｓ−Ｓｇ）×Ｙｖ  ・・・（式１）
Ｙｖ＝（Ｓ×Ｙ−Ｓｇ×Ｙｇ）／（Ｓ−Ｓｇ）  ・・・（式２）
制御部１０２は、式２を用いて平均輝度値Ｙｖを算出する。
そして、制御部１０２は、平均輝度値Ｙｖと平均輝度値Ｙの差（絶対値）に応じた値を影響度合として判断する。本実施例では、平均輝度値Ｙｖと平均輝度値Ｙとの差が影響度合として算出される。なお、平均輝度値Ｙｖと平均輝度値Ｙとの差と異なる値が影響度合として判断されてもよい。
【００３３】
取得領域が水平方向２５６画素×垂直方向２５６画素、画像の輝度値が０〜２５５の８ｂｉｔ精度の値、取得領域における合成画像の平均輝度値が１００であったとする。そして、取得領域におけるグラフィック画像のサイズが水平方向２００画素×垂直方向１００画素、グラフィック画像の平均輝度値が２００であったとする。この場合、式２から、入力画像の平均輝度値Ｙｖ＝（２５６×２５６×１００−２００×１００×２００）／（２５６×２５６−２００×１００）＝５６が得られる。そして、影響度合として、４４（＝｜１００−５６｜）が得られる。
【００３４】
なお、特徴量として最頻値や中間値を使用した場合にも、上記方法で影響度合を得ることができる。但し、特徴量として平均値を用いた方が、最頻値や中間値を用いる場合よりも高精度な影響度合（具体的には、入力画像の特徴量）が得られることが期待できる。
なお、特徴量がヒストグラムである場合には、第１特徴量から第２特徴量を減算することにより、入力画像の特徴量を推定することができる。
なお、影響度合の定義は上述したものに限らない。例えば、影響度合は、（Ｓｇ×Ｙｇ）÷（Ｓ×Ｙ）であってもよい。
【００３５】
図３の説明に戻る。
Ｓ３０２の次に、制御部１０２が、Ｓ３０２で得られた影響度合が第１の閾値より大きいか否かを判断する（Ｓ３０３）。本実施例では、取得領域毎に、影響度合が第１の閾値より大きいか否かが判断される。影響度合が第１の閾値より大きい取得領域は、グラフィック画像の表示による入力画像の見た目の変化が大きいと判断され、影響度合が第１の閾値以下である取得領域は、グラフィック画像の表示による入力画像の見た目の変化がほぼ無いと判断される。そして、影響度合が第１の閾値より大きい取得領域が存在する場合には、Ｓ３０４へ処理が進められ、影響度合が第１の閾値より大きい取得領域が存在しない場合には、Ｓ３０５へ処理が進められる。
例えば、第１の閾値が１０である場合には、影響度合が１０より大きい取得領域は、グラフィック画像の表示による入力画像の見た目の変化が許容できないと判断される。また、影響度合が１０以下である取得領域は、グラフィック画像の表示による入力画像の見た目の変化が許容できる程度に小さいと判断される。そして、影響度合が１０より大きい取得領域が存在する場合には、Ｓ３０４へ処理が進められ、影響度合が１０より大きい取得領域が存在しない場合には、Ｓ３０５へ処理が進められる。
なお、第１の閾値は、メーカによって予め定められた固定値であってもよいし、ユーザが変更可能な値であってあってもよい。第１の閾値は、入力画像、グラフィック画像、表示装置１０１の設置環境、表示装置１０１の使用目的、等に応じて動的に決定されてもよい。
【００３６】
Ｓ３０４では、制御部１０２が、影響度合が第１の閾値より大きい取得領域の影響度合が第１の閾値以下となるように、当該取得領域におけるグラフィック画像を第２の閾値以下の調整量で調整する。以後、影響度合が第１の閾値より大きい取得領域を「調整対象領域」と記載する。
なお、調整対象領域の影響度合が第１の閾値と一致するようにグラフィック画像を調整してもよい。そのような調整によれば、グラフィック画像の視認性の低下を最小限に抑えることができる。
なお、本実施例では、調整対象領域におけるグラフィック画像のみを調整する例を説明するが、グラフィック画像全体が調整されてもよい。
なお、第２の閾値は、メーカによって予め定められた固定値であってもよいし、ユーザが変更可能な値であってあってもよい。第１の閾値は、入力画像、グラフィック画像、表示装置１０１の設置環境、表示装置１０１の使用目的、等に応じて動的に決定されてもよい。
【００３７】
Ｓ３０４の処理（調整処理）について具体的に説明する。
グラフィック画像の明るさ、色、サイズ、透明度、等を変更すれば、第１特徴量が変化するため、影響度も変化する。そのため、グラフィック画像の明るさ、色、サイズ、透明度、等の少なくともいずれかを調整すれば、影響度合を低減することができる。以下では、グラフィック画像が入力画像よりも明るいものとし、グラフィック画像の明るさ、サイズ、及び、透明度をその順番で調整する例を説明する。また、以下では１つの調整対象領域に対する調整処理を説明する。複数の調整対象領域が存在する場合には、全ての調整対象領域に対して以下の調整処理が行われる。
【００３８】
まず、制御部１０２は、グラフィック画像の明るさを低減する（第１調整処理）。本実施例では、グラフィック画像の明るさが、最大で、グラフィック画像の明るさの初期値（初期輝度）の半分の明るさまで低減される。即ち、グラフィック画像の明るさの下限値（下限輝度）は、初期輝度の半分の明るさである。グラフィック画像の明るさは、グラフィック画像の画素値を低減することで低減することができる。例えば、画素値がＲＧＢ値である場合、（Ｒ値，Ｇ値，Ｂ値）＝（２５５，２５５，２５５）を（１００，１００，１００）に低減することにより、明るさを低減することができる。
第１調整処理では、グラフィック画像の明るさを徐々に下げながら、影響度合が繰り返し取得される。そして、影響度合が第１の閾値以下になったタイミングと、グラフィック画像の明るさが下限輝度に達したタイミングと、のいずれか早い方のタイミングで、第１調整処理が終了される。
第１調整処理によって影響度合が第１の閾値以下となった場合には、調整処理が終了される。
なお、グラフィック画像が入力画像よりも暗い場合には、第１調整処理として、グラフィック画像の明るさを高める処理を行えばよい。
【００３９】
グラフィック画像の明るさを下限輝度まで低減しても、影響度合が第１の閾値より大きい場合には、制御部１０２は、グラフィック画像を縮小する（第２調整処理）。本実施例では、グラフィック画像が、最大で、グラフィック画像のサイズの初期値（初期サイズ）の半分のサイズまで縮小される。即ち、グラフィック画像のサイズの下限値（下限サイズ）は、初期サイズの半分のサイズである。
第２調整処理では、グラフィック画像を徐々に縮小しながら、影響度合が繰り返し取得
される。そして、影響度合が第１の閾値以下になったタイミングと、グラフィック画像のサイズが下限サイズに達したタイミングと、のいずれか早い方のタイミングで、第２調整処理が終了される。
第２調整処理によって影響度合が第１の閾値以下となった場合には、調整処理が終了される。
グラフィック画像を下限サイズまで縮小しても、影響度合が第１の閾値より大きい場合には、制御部１０２は、グラフィック画像の透明度を高める（第３調整処理）。第３調整処理と、第１，２調整処理との差異は使用するパラメータのみであるため、第３調整処理についての詳しい説明は省略する。
【００４０】
全ての調整対象領域の影響度合が第１の閾値以下になると、処理がＳ３０５へ進められる。
図４に、調整処理後のグラフィック画像の一例を示す。
図４は、図２で示したグラフィック画像を調整した場合の例を示す。図２，４から、調整バーの色が白色から黒色に調整され、背景部（調整バー以外の部分）の明るさが低減されていることがわかる。このように、調整処理では、グラフィック画像を構成するパーツ単位で調整を行うことができる。
【００４１】
図３の説明に戻る。
Ｓ３０５では、制御部１０２が、画像解析部１０６から出力された第１特徴量に応じて、バックライト部１０８の発光輝度を制御する。本実施例では、取得領域毎に、その取得領域に対応する光源の発光輝度が、当該取得領域の第１特徴量に基づいて制御される。グラフィック画像が調整された場合には、調整後のグラフィック画像を入力画像に重畳した合成画像の特徴量に基づいて、発光輝度が制御される。
【００４２】
以上述べたように、本実施例によれば、入力画像にグラフィック画像が重畳された合成画像に基づいて光源の発光を制御する場合において、グラフィック画像の視認性の低下を抑制しつつ、入力画像の見た目の変化を抑制することができる。具体的には、第１特徴量に対する第２特徴量の影響度合が第１の閾値より大きい場合に、影響度合が第１の閾値以下となるようにグラフィック画像を調整することにより、入力画像の見た目の変化を抑制することができる。さらに、グラフィック画像の調整量を第２の閾値以下に制限することにより、グラフィック画像の視認性の低下をも抑制することができる。
【００４３】
なお、本実施例では、グラフィック画像の複数のパラメータ（グラフィック画像の明るさ、色、サイズ、透明度、等）を順番に調整する例を説明したが、２つ以上のパラメータが一度に調整されてもよい。
なお、影響度合を判断する処理、影響度合を閾値と比較する処理、グラフィック画像を調整する処理、及び、バックライトの発光輝度を制御する処理が制御部１０２で行われる例を説明したが、これに限らない。例えば、表示装置が、影響度合を判断する判断部、影響度合を閾値と比較する比較部、グラフィック画像を調整する調整部、等を有していてもよい。
【００４４】
＜実施例２＞
実施例１では、影響度合が第１の閾値より大きい取得領域におけるグラフィック画像を調整する例を説明した。しかしながら、そのような調整を行うと、グラフィック画像が取得領域間の境界を跨ぐ場合に、取得領域間でグラフィック画像が不連続となり、グラフィック画像の画質や視認性が大きく低下してしまうことがある。そこで、実施例２では、グラフィック画像が取得領域間の境界を跨ぐ場合にも、グラフィック画像の視認性の低下を抑制しつつ、入力画像の見た目の変化を抑制することができる方法を説明する。
なお、実施例１に係る調整処理において、グラフィック画像全体を調整すれば、上述し
たグラフィック画像の画質や視認性の大きな低下は生じない。
なお、実施例２に係る表示装置及びその構成は、実施例１（図１）の構成と同様であるため、説明は省略する。
【００４５】
図５に、本実施例に係る取得領域とグラフィック画像の一例を示す。
図５に示すグラフィック画像は、画像制作用の表示装置などで表示されるマーカーである。図５では、マーカーは、垂直方向の４本のラインと水平方向の３本のラインを含む画像である。
図６に、図５のグラフィック画像を実施例１に係る調整処理（取得領域毎にグラフィック画像を調整する処理）を施した結果の一例を示す。
グラフィック画像が取得領域間の境界を跨ぐ場合には、取得領域間で影響度合が異なることがある。そのため、図６に示すように、グラフィック画像のサイズが部分的に低減されたり、グラフィック画像の色が部分的に変更されたりしてしまうことがある。このような部分的な調整が生じると、グラフィック画像が見づらくなってしまう。
【００４６】
そこで、本実施例では、実施例１に係る調整処理後に、取得領域におけるグラフィック画像と隣接する取得領域におけるグラフィック画像との連続度合が第３の閾値以上となるように、各取得領域におけるグラフィック画像を個別に調整する。具体的には、取得領域におけるグラフィック画像と隣接する取得領域におけるグラフィック画像との明るさ、色、サイズ、及び、透明度の少なくともいずれかの差が第４の閾値以下となるように、各取得領域におけるグラフィック画像を調整する。
なお、第３の閾値及び第４の閾値は、メーカによって予め定められた固定値であってもよいし、ユーザが変更可能な値であってあってもよい。第１の閾値は、入力画像、グラフィック画像、表示装置１０１の設置環境、表示装置１０１の使用目的、等に応じて動的に決定されてもよい。
なお、パラメータ（明るさ、色、サイズ、透明度、等）の差とは異なる値が連続度合として算出され、算出した連続度合が第３の閾値以下となるように、各取得領域におけるグラフィック画像が調整されてもよい。例えば、上記パラメータの逆数が連続度合として算出されてもよい。
【００４７】
図７は、本実施例に係る調整処理の流れの一例を示すフローチャートである。図７のフローチャートは、図３のＳ３０４において実行される。
まず、Ｓ７０１において、実施例１に係る調整処理が実行される。
【００４８】
次に、制御部１０２が、互いに隣接する２つの取得領域の組み合わせ毎に、取得領域間でグラフィック画像の連続性が保たれているか否かを判断する（Ｓ７０２）。連続性が保たれていない組み合わせが存在する場合はＳ７０３へ処理が進められる。全ての組み合わせについて連続性が保たれている場合には、本フローが終了される（Ｓ３０５へ処理が進められる）。
Ｓ７０２では、例えば、明るさ、色、サイズ、及び、透明度の少なくともいずれかの差が第４の閾値以下か否かが判断される。そして、パラメータの差が第４の閾値より大きい組み合わせに対しては、連続性が保たれていないと判断され、パラメータの差が第４の閾値より大きい組み合わせに対しては、連続性が保たれていると判断される。
【００４９】
Ｓ７０３では、制御部１０２が、全ての組み合わせについて連続性が保たれるように、各取得領域におけるグラフィック画像を調整する。このとき、グラフィック画像は、影響度合が第１の閾値を超えないように調整される。
図８に、本実施例に係る調整処理の結果の一例を示す。図８は、取得領域間でグラフィック画像が不連続とならないように図６のグラフィック画像を調整した結果を示す。図８から、互いに隣接する２つの取得領域の全ての組み合わせにおいて、グラフィック画像の
連続性が保たれており、グラフィック画像の視認性が向上していることがわかる。
【００５０】
以上述べたように、本実施例によれば、取得領域間のグラフィック画像の連続性を考慮してグラフィック画像が調整されるため、グラフィック画像の視認性の低下をより抑制することができる。
なお、本実施例では、影響度合を低減する調整処理と連続度合を高める調整処理との２段階の処理を行う例を説明したが、複数段階の調整処理を行う必要はない。影響度合が低減し、且つ、連続度合が低減しないように、各取得領域におけるグラフィック画像を個別に調整する１段階の処理が行われてもよい。
【００５１】
＜実施例３＞
実施例１，２では、表示装置内でグラフィック画像が生成される例を説明した。実施例３では、パーソナルコンピュータなどの画像出力装置（外部装置）が表示装置に接続されており、画像出力装置で合成画像が生成され、画像出力装置から表示装置に合成画像が出力される例を説明する。
【００５２】
図９は、本実施例に係る表示装置１０１の概略構成を示すブロック図である。
図９に示すように、本実施例に係る表示装置１０１には、画像出力装置９０１が接続されている。画像出力装置９０１は、パーソナルコンピュータなどであり、アプリケーション制御部９０２、画像出力部９０３、等を有する。
【００５３】
アプリケーション制御部９０２は、画像出力装置９０１に対するユーザ操作に応じてアプリケーションを実行する。アプリケーション制御部９０２は、アプリケーションで使用するグラフィック画像（所定のグラフィック画像）が重畳された合成画像を生成し、生成した合成画像を画像出力部９０３に出力する。グラフィック画像を使用しない場合には、アプリケーション制御部９０２は、グラフィック画像が重畳されていない画像（実施例１の入力画像）を生成し、生成した合成画像を画像出力部９０３に出力する。
また、アプリケーション制御部９０２は、グラフィック画像に関する画像情報を、表示装置１０１（制御部１０２）に出力する。画像情報は、合成画像を生成したか否か（グラフィック画像が表示されるか否か）、グラフィック画像の領域情報、第２特徴量、などを含む。本実施例では、アプリケーション制御部９０２が、ＵＳＢ（Ｕｎｉｖｅｒｓａｌ  Ｓｅｒｉａｌ  Ｂｕｓ）などのケーブルを用いて表示装置１０１に接続されており、ケーブルを介して表示装置１０１に画像情報を出力する。また、アプリケーション制御部９０２は、ケーブルを介して表示装置１０１から情報（指示）を取得する。
また、アプリケーション制御部９０２は、グラフィック画像を調整する調整指示が制御部１０２から通知されると、調整指示に応じてグラフィック画像を調整し、合成画像を生成しなおす。グラフィック画像の調整方法は、実施例１と同じである。
【００５４】
画像出力部９０３は、アプリケーション制御部９０２から出力された画像（合成画像または入力画像）を、表示装置１０１（画像入力部１０４）に出力する。本実施例では、画像出力部９０３が、ＤＶＩなどのケーブルを用いて表示装置１０１に接続されており、ケーブルを介して表示装置１０１に画像を出力する。
なお、外部装置は、無線で表示装置に接続されていてもよい。そして、無線通信によって画像や画像情報が出力されてもよい。
【００５５】
図９に示すように、本実施例に係る表示装置１０１は、制御部１０２、画像入力部１０４、画像解析部１０６、表示部１０７、バックライト部１０８などを有する。
【００５６】
制御部１０２は、実施例１と同様の機能を有する。
但し、本実施例では、制御部１０２は、グラフィック画像の調整は行わず、グラフィッ
ク画像の調整をアプリケーション制御部９０２に指示する。また、制御部１０２は、アプリケーション制御部９０２からの画像情報から、グラフィック画像が表示されるか否か、グラフィック画像の領域、第２特徴量、などを判断する。
なお、グラフィック画像の調整を指示する処理と第２特徴量を取得する処理（第２取得処理）とは、互いに異なる機能部によって実行されてもよい。例えば、表示装置１０１が、グラフィック画像を調整する調整指示を外部装置に出力する出力部と、外部装置から第２特徴量を取得する取得部と、を有していてもよい。
画像入力部１０４（画像取得部）は、画像出力部９０３から画像（合成画像または入力画像）を取得し、取得した画像を画像解析部１０６に出力する。
画像解析部１０６は、実施例１と同様に、合成画像から第１特徴量を取得する処理（第１取得処理）を行う。
表示部１０７とバックライト部１０８は、実施例１と同じである。
【００５７】
本実施例に係る表示装置の処理の流れは、実施例１（図３）と同じである。
但し、Ｓ３０４では、制御部１０２は、グラフィック画像の調整は行わず、グラフィック画像の調整をアプリケーション制御部９０２に指示する。そして、アプリケーション制御部９０２によって、実施例１，２と同様にグラフィック画像が調整される。
【００５８】
以上述べたように、本実施例によれば、第１特徴量に対する第２特徴量の影響度合が第１の閾値より大きい場合に、合成画像を生成する外部装置にグラフィック画像の調整が指示され、外部装置でグラフィック画像が調整される。それにより、グラフィック画像や合成画像が外部装置で生成された場合においても、実施例１，２と同様の効果を得ることができる。
【００５９】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００６０】
１０１  表示装置
１０２  制御部
１０５  合成部
１０６  画像解析部
１０７  表示部
１０８  バックライト部
【図１】
2015176055.tif 000003
【図２】
2015176055.tif 000004
【図３】
2015176055.tif 000005
【図４】
2015176055.tif 000006
【図５】
2015176055.tif 000007
【図６】
2015176055.tif 000008
【図７】
2015176055.tif 000009
【図８】
2015176055.tif 000010
【図９】
2015176055.tif 000011